(57)【特許請求の範囲】
【請求項１】
装備品を包装するための吊下げ嚢本体と、この吊下げ嚢本体に固定されたループと、パラシュートのスハーネスに着脱自在に固定可能なフック部分および前記ループを挿通可能なループ用穴とを備えた接続片と、前記接続片のループ用穴に挿通されたループの穴を挿通するケーブルとを備え、前記ケーブルを引っ張ることによって前記ケーブルがループの穴より抜脱可能になっていることを特徴とする吊下げ嚢。
【請求項２】
前記吊下げ嚢本体は装備品を包装した後に緊締するための縦方向ベルトと横方向ベルトとを備え、前記ケーブルの一方の先端は縦方向ベルトに形成された収納袋に収納され、他方の先端は吊下げ嚢上部に位置する把手に接続されており、前記把手を引っ張ることによって前記ケーブルがループの穴より抜脱可能になっていることを特徴とする請求項１記載の吊下げ嚢。
【発明の詳細な説明】
【０００１】
【産業上の利用分野】
本発明は吊下げ嚢、さらに詳細にはパラシュート降下中に容易に切り離せる吊下げ嚢に関する。
【０００２】
【従来技術及び問題点】
吊下げ嚢１は、種々の装備品を包装し、作戦行動するときに背中に背負って使用されるが、空挺部隊の隊員などが飛行体よりパラシュート降下する場合には、背中にはパラシュートが装着されることから、身体の前方に切り離し自在に吊り下げ固定するようになっている。そして前記吊下げ嚢１は重量があることから、着地する前に、この吊下げ嚢１を切り離して、身軽な状態で着地するようにしている。吊下げ嚢１とともに着地した場合、その重量によって降下する者が怪我などをする事態を防止するためである。
【０００３】
このような吊下げ嚢１は、図４に示すように、パラシュートを背負うためのハーネス２に設けられた金具２１に、吊下げ嚢１に固定されたフック３を係止することによって、身体前方に吊り下げるようになっている。そして着地前に前記フック３を持ち上げて外す方法を行っている。
【０００４】
しかしながら、前述のフック３を金具２１より取り外す行為は、降下による緊張などのストレスが付加される場合には、熟練者でも多大な負担を生じることは明らかである。
【０００５】
本発明は上述の問題点に鑑みなされたものであり、ケーブルを引っ張るだけで吊下げ嚢を切り離すことが可能な機構を有する吊下げ嚢を提供することを目的とする。
【０００６】
【問題点を解決するための手段】
上記問題点を解決するため、本発明による吊下げ嚢は、装備品を包装するための吊下げ嚢本体と、この吊下げ嚢本体に固定されたループと、パラシュートのハーネスに着脱自在に吊り下げ可能なフック部分および前記ループを挿通可能なループ用穴とを備えた接続片と、前記接続片のループ用穴に挿通されたループの穴を挿通するケーブルとを備え、前記ケーブルを引っ張ることによって前記ケーブルがループの穴より抜脱可能になっていることを特徴とする。
【０００７】
本発明による吊下げ嚢は、パラシュートのハーネスに着脱自在に吊り下げることのできる接続片を有し、この接続片のループ用穴に吊下げ嚢に固定されたループを挿通し、前記ループのループ穴にケーブルを挿通して、接続片を吊下げ嚢にロックさせ、吊下げ嚢をパラシュートのハーネスに懸吊するようにしている。このため、ケーブルを引っ張ってループ穴よりケーブルを抜脱することによって、吊下げ嚢は前記接続片と切り離される。したがって、吊下げ嚢は力を要することなく容易に降下者より切り離されることになる。
【０００８】
【実施例】
図１は本発明による吊下げ嚢の平面図であるが、この吊下げ嚢１は、装備品を包装するためのほぼ長方形の吊下げ嚢本体１１を有しており、図面における裏面側に装備品を整列せしめて、前記長方形部分を図面裏面側に折り畳むことによって装備品を直方体状に包装可能になっている（図３参照）。
【０００９】
前記吊下げ嚢１には、２本の縦方向ベルト１２と２本の横方向ベルト１３を有しており、前記縦方向ベルト１２及び横方向ベルト１３には、ベルト１２，１３を緊締するための止め具１４がそれぞれ設けられた構造になっている。このため、前記装備品を吊下げ嚢本体１１の長方形部分を折り曲げて包装した後、縦方向ベルト１２及び横方向ベルト１３を前記止め具１４で緊締することによって、前記装備品をほぼ直方体状に包装可能になっている（図３参照）。
【００１０】
本発明による吊下げ嚢１においては、別体の接続片４を備えている。この接続片４は、パラシュートのハーネス２に設けられた金具２１と着脱自在に接続するフック部分４１と表裏面を貫通するループ用穴４２を備えた接続片本体４３を有している（図２参照）。一方、前記２本の縦方向ベルト１２には、それぞれループ１５が備えられている（図２、図１の左部分においてループ１５は、理解しやすいように大きく記載してある）。
【００１１】
本発明による吊下げ嚢１に接続片４を取り付けるには、前記縦方向ベルト１２に設けられたループ１５を前記ループ用穴４２にループ１５を前記ループ１５の穴１５１が接続片４を貫通するように挿通し、この貫通されたループの穴１５１にケーブル５を挿通することによって取り付けられる（図１右部分参照）。
【００１２】
このケーブル５の一方の先端部は、前記ループの穴１５１を貫通した後、吊下げ嚢１で装備品を包装した時の蓋に相当する部分１６に形成された収納袋１７に収納されるようになっており、一方他方の先端部は前記ケーブル５を抜脱するときの握りとなる把手５１に固着されている。そして、このケーブル５の把手５１は、降下者が引っ張りやすいように、面ファスナーが取り付けられたベルト１８によって吊下げ嚢１の上部に位置するように仮止めされている。
【００１３】
接続片４及び縦方向ベルト１２には方形環Ａ及びＢが取り付けられており、図に示すように、接続片４を方形環Ｂに通し、次に方形環Ａに通した後に接続片４を吊下げ嚢１にロックさせることによって、接続片４に作用する吊下げ嚢中身の重量を大きく軽減することができる。よって、ループ用穴４２及びループ１５、ケーブル５に付加する荷重を軽減することができ、ループの穴１５１からケーブル５を容易に抜脱することが可能となる（図３参照）。
【００１４】
前記ケーブル５は、ガイド用トンネル１９にガイドされて、前記ループの穴１５１を貫通し、その先端が収納袋１７に差し込まれるようになっている（図１の左部分参照、前記左部分図においてガイド用トンネル１９および収納袋１７は仮想線で示している）。前記ケーブル５は、図１に示すように、２片の接続片４を吊下げ嚢１に固定するため、２方向に別れており、ケーブル５の他方の先端は単一の把手５１に固着されるようになっている。
【００１５】
本発明に吊下げ嚢１を使用するに当たっては、まず吊下げ嚢１をパラシュートのハーネス２の金具２１に前記接続片４のフック部分４１で取り付け、吊下げ嚢１を降下者前方に吊り下げる。パラシュート降下の着地前、前記吊下げ嚢１を切り離すには、前記把手５１を引っ張ることにより、容易に実行することができる。
【００１６】
すなわち、把手５１を引っ張ると、２方向に別れたケーブル５は、両側のガイド用トンネル１９に案内されて、徐々に引き抜かれ、前記縦方向ベルト１２に設けられたループ１５の穴１５１より抜脱される。このようにケーブル５がループの穴１５１より引き抜かれると、吊下げ嚢１の重量によって、ループ１５は接続片４のループ用穴４２より引き抜かれることになり、吊下げ嚢１は降下者より離脱することになる。このとき、前記接続片４はパラシュートのハーネス２に残存したままとなる。
【００１７】
【発明の効果】
以上説明したように、本発明による吊下げ嚢によれば、パラシュートのハーネスに着脱自在に吊り下げることのできる接続片を有し、この接続片のループ用穴に吊下げ嚢に固定されたループを挿通し、前記ループのループ穴にケーブルを挿通して、吊下げ嚢をパラシュートのハーネスに懸吊するようにしている。このため、ケーブルを引っ張ってループ穴よりケーブルを抜脱することによって、吊下げ嚢は前記接続片と切り離される。したがって、吊下げ嚢は力を要することなく容易に降下者より切り離されることになる。
【図面の簡単な説明】
【図１】本発明による吊下げ嚢の一実施例の平面図。
【図２】接続片を吊下げ嚢に固着するときの状態を示す説明図。
【図３】接続片を吊下げ嚢に固着するときの状態を示す説明図。
【図４】吊下げ嚢を装着したときの状態を説明する説明図。
【符号の説明】
１      吊下げ嚢
１１      吊下げ嚢本体
１２      縦方向ベルト
１３      横方向ベルト
１４      止め具
１５      ループ
１５１      ループの穴
１６      蓋に相当する部分
１７      収納袋
１９      ガイド用トンネル
２      パラシュートのハーネス
２１      金具
３      フック
４      接続片
４１      フック部分
４２      ループ用穴
４３      接続片本体
５      ケーブル
５１      把手
【図１】
0004428854.tif 000002
【図２】
0004428854.tif 000003
【図３】
0004428854.tif 000004
【図４】
0004428854.tif 000005